(57)【要約】【課題】録画予約した番組が録画中に放送延長された場合に予約録画終了時刻を変更でき、また、録画予約した番組の前の番組が放送延長になれば、録画予約した番組の予約録画開始時刻および予約録画開始時刻を変更できる機能を有する情報記録再生装置を提供する。【解決手段】予約録画開始時刻に到達して、当該番組の録画が開始された後、第１の延長フラグがオンされていると判定されたときに、ＥＰＧ情報が定期的に監視され、ＥＰＧ情報に当該番組延長情報が有るか無いかが判定される。当該番組延長情報が有ると判定されたときには、当該番組の予約録画終了時刻は当該番組延長情報の示す時間分だけ遅らせる変更が行われる。変更された予約録画終了時刻に到達すると、当該番組の録画が停止される。これにより、放送終了時刻が遅れても、当該番組を全部録画することができる。【選択図】図５
2008167106.tif 000002
【特許請求の範囲】
【請求項１】
記録媒体に対してテレビ番組やその他の情報を記録／再生する情報記録再生装置において、
放送局から送信されて来た電子番組ガイド情報に基づいて所望するテレビ番組の録画予約の設定を行う番組録画予約設定手段と、
当該テレビ番組の放送延長の可能性が有るか無いかを前記電子番組ガイド情報に含まれる当該番組延長情報に基づいて判定する第１の延長有無判定手段と、
当該テレビ番組の放送延長の可能性が有ると判定されたときに第１の延長フラグをオンする第１の延長フラグオン手段と、
当該テレビ番組よりも前に放送されるテレビ番組が放送延長の可能性が有るか無いかを前記電子番組ガイド情報に含まれる前番組延長情報に基づいて判定する第２の延長有無判定手段と、
当該テレビ番組よりも前に放送されるテレビ番組が放送延長の可能性が有ると判定されたときに第２の延長フラグをオンする第２の延長フラグオン手段と、を有する録画予約設定部と、
前記録画予約設定部により録画予約の設定が完了した後、前記第２の延長フラグはオンされているか否かを判定する第２の延長フラグ判定手段と、
前記第２の延長フラグがオンされていると判定されたときに前記電子番組ガイド情報を定期的に監視する前番組対応電子番組ガイド監視手段と、
前記監視されている電子番組ガイド情報に前番組延長情報が有るか無いかを判定する前番組延長情報有無判定手段と、
前記監視されている電子番組ガイド情報に前番組延長情報が有ると判定されたときに当該テレビ番組の予約録画開始時刻および予約録画終了時刻を前記前番組延長情報の示す時間分だけ遅らせる変更を行う予約録画開始終了時刻変更手段と、を有する前番組延長対応録画予約時刻設定部と、
前記予約録画開始時刻に到達して当該テレビ番組の録画が開始された後、前記第１の延長フラグはオンされているか否かを判定する第１の延長フラグ判定手段と、
前記第１の延長フラグがオンされていると判定されたときに前記電子番組ガイド情報を定期的に監視する当該番組対応電子番組ガイド監視手段と、
前記監視されている電子番組ガイド情報に当該番組延長情報が有るか無いかを判定する当該番組延長情報有無判定手段と、
前記監視されている電子番組ガイド情報に当該番組延長情報が有ると判定されたときに当該テレビ番組の予約録画終了時刻を前記当該番組延長情報の示す時間分だけ遅らせる変更を行う予約録画終了時刻変更手段と、を有する当該番組延長対応録画予約時刻設定部と、を備えたことを特徴とする情報記録再生装置。
【請求項２】
記録媒体に対してテレビ番組やその他の情報を記録／再生する情報記録再生装置において、
放送局から送信されて来た電子番組ガイド情報に基づいて所望するテレビ番組の録画予約の設定を行い、前記電子番組ガイド情報に含まれる当該番組延長情報に基づいて当該テレビ番組の放送延長の可能性が有ると判定したときに第１の延長フラグをオンし、次に前記電子番組ガイド情報に含まれる前番組延長情報に基づいて当該テレビ番組よりも前に放送されるテレビ番組が放送延長の可能性が有ると判定したときに第２の延長フラグをオンする録画予約設定部と、
前記録画予約設定部により録画予約の設定が完了した後、前記第２の延長フラグがオンされているときに前記電子番組ガイド情報を定期的に監視し、前記監視されている電子番組ガイド情報に前番組延長情報が有るときに当該テレビ番組の予約録画開始時刻および予約録画終了時刻を前記前番組延長情報の示す時間分だけ遅らせる変更を行う前番組延長対応録画予約時刻設定部と、
前記予約録画開始時刻に到達して当該テレビ番組の録画が開始された後、前記第１の延長フラグがオンされているときに前記電子番組ガイド情報を定期的に監視し、前記監視されている電子番組ガイド情報に当該番組延長情報が有るときに当該テレビ番組の予約録画終了時刻を前記当該番組延長情報の示す時間分だけ遅らせる変更を行う当該番組延長対応録画予約時刻設定部と、を備えたことを特徴とする情報記録再生装置。
【請求項３】
前記録画予約設定部は、放送局から送信されて来た電子番組ガイド情報に基づいて所望するテレビ番組の録画予約の設定を行う番組録画予約設定手段と、当該テレビ番組の放送延長の可能性が有るか無いかを前記電子番組ガイド情報に含まれる当該番組延長情報に基づいて判定する第１の延長有無判定手段と、当該テレビ番組の放送延長の可能性が有ると判定されたときに第１の延長フラグをオンする第１の延長フラグオン手段と、当該テレビ番組よりも前に放送されるテレビ番組が放送延長の可能性が有るか無いかを前記電子番組ガイド情報に含まれる前番組延長情報に基づいて判定する第２の延長有無判定手段と、当該テレビ番組よりも前に放送されるテレビ番組が放送延長の可能性が有ると判定されたときに第２の延長フラグをオンする第２の延長フラグオン手段と、を有することを特徴とする請求項２に記載の情報記録再生装置。
【請求項４】
前記前番組延長対応録画予約時刻設定部は、前記録画予約設定部により録画予約の設定が完了した後、前記第２の延長フラグはオンされているか否かを判定する第２の延長フラグ判定手段と、前記第２の延長フラグがオンされていると判定されたときに前記電子番組ガイド情報を定期的に監視する前番組対応電子番組ガイド監視手段と、前記監視されている電子番組ガイド情報に前番組延長情報が有るか無いかを判定する前番組延長情報有無判定手段と、前記監視されている電子番組ガイド情報に前番組延長情報が有ると判定されたときに当該テレビ番組の予約録画開始時刻および予約録画終了時刻を前記前番組延長情報の示す時間分だけ遅らせる変更を行う予約録画開始終了時刻変更手段と、を有することを特徴とする請求項２に記載の情報記録再生装置。
【請求項５】
前記当該番組延長対応録画予約時刻設定部は、前記予約録画開始時刻に到達して当該テレビ番組の録画が開始された後、前記第１の延長フラグはオンされているか否かを判定する第１の延長フラグ判定手段と、前記第１の延長フラグがオンされていると判定されたときに前記電子番組ガイド情報を定期的に監視する当該番組対応電子番組ガイド監視手段と、前記監視されている電子番組ガイド情報に当該番組延長情報が有るか無いかを判定する当該番組延長情報有無判定手段と、前記監視されている電子番組ガイド情報に当該番組延長情報が有ると判定されたときに当該テレビ番組の予約録画終了時刻を前記当該番組延長情報の示す時間分だけ遅らせる変更を行う予約録画終了時刻変更手段と、を有することを請求項２に記載の特徴とする情報記録再生装置。
【発明の詳細な説明】
【技術分野】
【０００１】
本発明は、記録媒体に対してテレビ番組やその他の情報を記録／再生する情報記録再生装置に関し、特に、テレビ番組を予約録画する際の録画開始時刻や録画終了時刻などの設定を行う録画予約機能の処理に関する。
【背景技術】
【０００２】
従来から、ハードディスク装置（ハードディスクレコーダ）、光ディスク装置（ＤＶＤレコーダ）、磁気テープ記録再生装置（ビデオテープレコーダ）などの情報記録再生装置では、ユーザが希望するテレビ番組を録画予約する録画予約機能が備えられている。このような録画予約機能を備えた情報記録再生装置は、録画予約の際に、録画したいテレビ番組のチャンネル番号と、録画を開始させるための予約録画開始時刻と、録画を終了させるための予約録画終了時刻とをフラッシュメモリに設定し、タイマにより計時されている現在時刻が予約録画開始時刻に到達したときに、当該チャンネル番号を示す放送局からのテレビ番組の録画を開始させ、また、現在時刻が予約録画終了時刻に到達したときに、そのテレビ番組の録画を終了させる。
【特許文献１】特開２００６−１４８７１４号公報
【特許文献２】特開２００１−１５５５３９３号公報
【特許文献３】特開平１１−２９６９３０号公報
【発明の開示】
【発明が解決しようとする課題】
【０００３】
ところで、録画したい番組の前に、野球実況中継などのスポーツ番組があった場合、このスポーツ番組の終了時刻が予定よりも遅れることがある。このような場合、試合が終了するまで、放送時間が延長されることがある。例えば、野球番組がＰＭ７時からＰＭ９時までの放送時間の予定が３０分遅れ、ＰＭ９時３０分に終了したとする。ところが、ＰＭ９時から放送が始まる予定のドラマ番組を録画したいために、情報記録再生装置において予約録画開始時刻をＰＭ９時に設定していたとすると、情報記録再生装置は、ＰＭ９時から録画を開始し、野球放送が延長された時間分である３０分だけ、野球番組が録画されることになり、この後、３０分遅れてドラマ番組の録画が開始されることになる。
【０００４】
また、ドラマ番組の最初の放送予定時間がＰＭ９時からＰＭ１１時までであった場合、野球番組の３０分の延長により、ドラマ番組の放送がＰＭ９時３０分から始まることになるが、ＰＭ９時からの録画時間が２時間または録画終了時刻がＰＭ１１時に設定されていると、３０分間は野球番組が録画され、残りの１時間３０分だけしかドラマ番組が録画されないことになる  。また、放送開始が遅れたドラマ番組を全部録画するために録画時間を３０分延長すると、記録媒体の残量が無くなる場合があり、録画必要時間が録画可能時間を超えてしまい、録画対象番組を全部録画できなくなることがある。
【０００５】
そこで、特許文献１のビデオレコーダでは、予約録画開始時刻が設定されている録画対象番組の前の番組が延長されたときに、番組終了予定前の特定者の音声と、番組終了予定時間経過後の音声とを比較し、両音声が異なると判定された場合に、両音声が異なった時点の時刻から番組終了予定時刻を差し引いて延長時間を算出し、延長時間を録画対象番組の最初の録画開始時刻に加えて、新たに録画開始時刻を設定するようにしている。しかし、このビデオレコーダでは、番組終了予定前の特定者の音声と、番組終了予定時間経過後の音声とを比較し、両音声が異なると判定しているが、番組終了予定前のアナウンサーが、例えば、スタジオ内のアナウンサーと、中継先のアナウンサーとの二人が居た場合、特定者が二人居ることになり、特定者を特定することができないので、前記両音声が異なるという判定の信頼性が劣り、予約録画開始時刻の変更を常に正確に行うことができない。
【０００６】
特許文献２の録画予約管理装置では、電子番組ガイド（ＥＰＧ）情報に基づいて録画予約情報を作成して管理し、放送予定時間の変更の可能性を判定し、変更の可能性の有る番組の録画予約に際し、変更の可能性が有る旨を通知するようにしているが、録画したい番組より前に放送される番組の放送時間の延長による前記録画したい番組の予約録画終了時刻の変更や、録画したい番組の録画中に放送終了時刻が延びたときの予約録画終了時刻の変更については開示されていない。
【０００７】
特許文献３の自動記録装置では、記録しようとする直前の番組の音声モードがステレオであり、記録しようとする番組の音声モードがモノラルである場合、記録しようとする直前の番組が延長されても、予め設定した予約録画の終了時刻を延長された時間に応じて自動的に変更できるようにしているが、記録しようとする直前の番組の音声モードがステレオであり、記録しようとする番組の音声モードもステレオである場合、記録しようとする直前の番組の音声モードがモノラルであり、記録しようとする番組の音声モードもモノラルである場合には、予約録画の終了時刻を変更することができない。
【０００８】
本発明は、上記のような課題を解決するためになされたもので、録画予約した番組が録画中に放送延長された場合に予約録画終了時刻を変更でき、また、録画予約した番組の前の番組が放送延長になれば、録画予約した番組の予約録画開始時刻および予約録画開始時刻を変更できる機能を有する情報記録再生装置を提供することを目的とする。
【課題を解決するための手段】
【０００９】
上記目的を達成するために、請求項１の発明は、記録媒体に対してテレビ番組やその他の情報を記録／再生する情報記録再生装置において、放送局から送信されて来た電子番組ガイド情報に基づいて所望するテレビ番組の録画予約の設定を行う番組録画予約設定手段と、当該テレビ番組の放送延長の可能性が有るか無いかを前記電子番組ガイド情報に含まれる当該番組延長情報に基づいて判定する第１の延長有無判定手段と、当該テレビ番組の放送延長の可能性が有ると判定されたときに第１の延長フラグをオンする第１の延長フラグオン手段と、当該テレビ番組よりも前に放送されるテレビ番組が放送延長の可能性が有るか無いかを前記電子番組ガイド情報に含まれる前番組延長情報に基づいて判定する第２の延長有無判定手段と、当該テレビ番組よりも前に放送されるテレビ番組が放送延長の可能性が有ると判定されたときに第２の延長フラグをオンする第２の延長フラグオン手段と、を有する録画予約設定部と、前記録画予約設定部により録画予約の設定が完了した後、前記第２の延長フラグはオンされているか否かを判定する第２の延長フラグ判定手段と、前記第２の延長フラグがオンされていると判定されたときに前記電子番組ガイド情報を定期的に監視する前番組対応電子番組ガイド監視手段と、前記監視されている電子番組ガイド情報に前番組延長情報が有るか無いかを判定する前番組延長情報有無判定手段と、前記監視されている電子番組ガイド情報に前番組延長情報が有ると判定されたときに当該テレビ番組の予約録画開始時刻および予約録画終了時刻を前記前番組延長情報の示す時間分だけ遅らせる変更を行う予約録画開始終了時刻変更手段とを有する前番組延長対応録画予約時刻設定部と、前記予約録画開始時刻に到達して当該テレビ番組の録画が開始された後、前記第１の延長フラグはオンされているか否かを判定する第１の延長フラグ判定手段と、前記第１の延長フラグがオンされていると判定されたときに前記電子番組ガイド情報を定期的に監視する当該番組対応電子番組ガイド監視手段と、前記監視されている電子番組ガイド情報に当該番組延長情報が有るか無いかを判定する当該番組延長情報有無判定手段と、前記監視されている電子番組ガイド情報に当該番組延長情報が有ると判定されたときに当該テレビ番組の予約録画終了時刻を前記当該番組延長情報の示す時間分だけ遅らせる変更を行う予約録画終了時刻変更手段とを有する当該番組延長対応録画予約時刻設定部とを備えたことを特徴とする情報記録再生装置を提供する。
【００１０】
この構成において、録画予約設定部では、放送局から送信されて来た電子番組ガイド情報に基づいて所望するテレビ番組の録画予約の設定が、番組録画予約設定手段により行われ、第１の延長有無判定手段により、当該テレビ番組の放送延長の可能性が有ると判定されたとき、第１の延長フラグが第１の延長フラグオン手段によりオンされる。第２の延長有無判定手段により、当該テレビ番組よりも前に放送されるテレビ番組が放送延長の可能性が有ると判定されたとき、第２の延長フラグが第２の延長フラグオン手段によりオンさせる。
【００１１】
前番組延長対応録画予約時刻設定部では、前記録画予約設定部により録画予約の設定が完了した後、第２の延長フラグ判定手段により、第２の延長フラグがオンされていると判定されたとき、前記電子番組ガイド情報が、前番組対応電子番組ガイド監視手段により定期的に監視される。前番組延長情報有無判定手段により、前記監視されている電子番組ガイド情報に前番組延長情報が有ると判定されたとき、当該テレビ番組の予約録画開始時刻および予約録画終了時刻を前記前番組延長情報の示す時間分だけ遅らせる変更が、予約録画開始終了時刻変更手段により行われる。
【００１２】
当該番組延長対応録画予約時刻設定部では、前記予約録画開始時刻に到達して当該テレビ番組の録画が開始された後、第１の延長フラグ判定手段により、第１の延長フラグがオンされていると判定されたとき、当該番組対応電子番組ガイド監視手段により、電子番組ガイド情報が定期的に監視される。当該番組延長情報有無判定手段により、前記監視されている電子番組ガイド情報に当該番組延長情報が有ると判定されたとき、予約録画終了時刻変更手段により、当該テレビ番組の予約録画終了時刻が前記当該番組延長情報の示す時間分だけ遅らせる変更が行われる。
【００１３】
この構成によれば、録画予約設定部および当該番組延長対応録画予約時刻設定部の処理により、録画予約した番組が録画中に放送延長された場合には、予約録画終了時刻を変更でき、これにより、録画予約した番組が予定よりも放送延長されても、録画予約した番組を最後まで録画することができ、ユーザにとっては使い勝手が良いものとなる。また、録画予約設定部および前番組延長対応録画予約時刻設定部の処理により、録画予約した番組の前の番組が放送延長になれば、録画予約した番組の予約録画開始時刻および予約録画開始時刻を変更でき、これにより、録画予約した番組の前の番組が予定の放送時間よりも延長されても、録画予約した番組を最後まで録画することができ、ユーザにとっては使い勝手が良いものとなる。
【００１４】
請求項２の発明は、記録媒体に対してテレビ番組やその他の情報を記録／再生する情報記録再生装置において、放送局から送信されて来た電子番組ガイド情報に基づいて所望するテレビ番組の録画予約の設定を行い、前記電子番組ガイド情報に含まれる当該番組延長情報に基づいて当該テレビ番組の放送延長の可能性が有ると判定したときに第１の延長フラグをオンし、次に前記電子番組ガイド情報に含まれる前番組延長情報に基づいて当該テレビ番組よりも前に放送されるテレビ番組が放送延長の可能性が有ると判定したときに第２の延長フラグをオンする録画予約設定部と、前記録画予約設定部により録画予約の設定が完了した後、前記第２の延長フラグがオンされているときに前記電子番組ガイド情報を定期的に監視し、前記監視されている電子番組ガイド情報に前番組延長情報が有るときに当該テレビ番組の予約録画開始時刻および予約録画終了時刻を前記前番組延長情報の示す時間分だけ遅らせる変更を行う前番組延長対応録画予約時刻設定部と、前記予約録画開始時刻に到達して当該テレビ番組の録画が開始された後、前記第１の延長フラグがオンされているときに前記電子番組ガイド情報を定期的に監視し、前記監視されている電子番組ガイド情報に当該番組延長情報が有るときに当該テレビ番組の予約録画終了時刻を前記当該番組延長情報の示す時間分だけ遅らせる変更を行う当該番組延長対応録画予約時刻設定部とを備えたことを特徴とする情報記録再生装置を提供する。
【００１５】
この構成において、録画予約設定部では、放送局から送信されて来た電子番組ガイド情報に基づいて所望するテレビ番組の録画予約の設定を行い、前記電子番組ガイド情報に含まれる当該番組延長情報に基づいて当該テレビ番組の放送延長の可能性が有ると判定したとき、第１の延長フラグをオンする。次に、前記電子番組ガイド情報に含まれる前番組延長情報に基づいて当該テレビ番組よりも前に放送されるテレビ番組が放送延長の可能性が有ると判定したとき、第２の延長フラグをオンする。
【００１６】
前番組延長対応録画予約時刻設定部では、前記録画予約設定部により録画予約の設定が完了した後、前記第２の延長フラグがオンされているときに前記電子番組ガイド情報を定期的に監視し、前記監視されている電子番組ガイド情報に前番組延長情報が有るときに当該テレビ番組の予約録画開始時刻および予約録画終了時刻を前記前番組延長情報の示す時間分だけ遅らせる変更を行う。
【００１７】
当該番組延長対応録画予約時刻設定部では、前記予約録画開始時刻に到達して当該テレビ番組の録画が開始された後、前記第１の延長フラグがオンされているときに前記電子番組ガイド情報を定期的に監視し、前記監視されている電子番組ガイド情報に当該番組延長情報が有るときに当該テレビ番組の予約録画終了時刻を前記当該番組延長情報の示す時間分だけ遅らせる変更を行う。
【００１８】
請求項３の発明では、請求項２の発明において、前記録画予約設定部は、放送局から送信されて来た電子番組ガイド情報に基づいて所望するテレビ番組の録画予約の設定を行う番組録画予約設定手段と、当該テレビ番組の放送延長の可能性が有るか無いかを前記電子番組ガイド情報に含まれる当該番組延長情報に基づいて判定する第１の延長有無判定手段と、当該テレビ番組の放送延長の可能性が有ると判定されたときに第１の延長フラグをオンする第１の延長フラグオン手段と、当該テレビ番組よりも前に放送されるテレビ番組が放送延長の可能性が有るか無いかを前記電子番組ガイド情報に含まれる前番組延長情報に基づいて判定する第２の延長有無判定手段と、当該テレビ番組よりも前に放送されるテレビ番組が放送延長の可能性が有ると判定されたときに第２の延長フラグをオンする第２の延長フラグオン手段とを有するので、予約録画設定処理、第１の延長有無判定処理、第１の延長フラグオン処理、第２の延長有無判定処理、および第２の延長フラグオン処理を実現でき、これにより、当該テレビ番組の放送延長の可能性が有る場合には、第１の延長フラグをオンにでき、また、当該テレビ番組よりも前に放送されるテレビ番組が放送延長の可能性が有る場合には、第２の延長フラグをオンにできる。
【００１９】
請求項４の発明では、請求項２の発明において、前記前番組延長対応録画予約時刻設定部は、前記録画予約設定部により録画予約の設定が完了した後、前記第２の延長フラグはオンされているか否かを判定する第２の延長フラグ判定手段と、前記第２の延長フラグがオンされていると判定されたときに前記電子番組ガイド情報を定期的に監視する前番組対応電子番組ガイド監視手段と、前記監視されている電子番組ガイド情報に前番組延長情報が有るか無いかを判定する前番組延長情報有無判定手段と、前記監視されている電子番組ガイド情報に前番組延長情報が有ると判定されたときに当該テレビ番組の予約録画開始時刻および予約録画終了時刻を前記前番組延長情報の示す時間分だけ遅らせる変更を行う予約録画開始終了時刻変更手段とを有するので、第２の延長フラグ判定処理、前番組対応電子番組ガイド監視処理、前番組延長情報有無判定処理、および予約録画開始終了時刻変更処理を実現でき、これにより、電子番組ガイド情報に前番組延長情報が有った場合、当該テレビ番組の予約録画開始時刻および予約録画終了時刻を変更することができる。
【００２０】
請求項５の発明では、請求項２の発明において、前記当該番組延長対応録画予約時刻設定部は、前記予約録画開始時刻に到達して当該テレビ番組の録画が開始された後、前記第１の延長フラグはオンされているか否かを判定する第１の延長フラグ判定手段と、前記第１の延長フラグがオンされていると判定されたときに前記電子番組ガイド情報を定期的に監視する当該番組対応電子番組ガイド監視手段と、前記監視されている電子番組ガイド情報に当該番組延長情報が有るか無いかを判定する当該番組延長情報有無判定手段と、前記監視されている電子番組ガイド情報に当該番組延長情報が有ると判定されたときに当該テレビ番組の予約録画終了時刻を前記当該番組延長情報の示す時間分だけ遅らせる変更を行う予約録画終了時刻変更手段とを有するので、電子番組ガイド情報に当該番組延長情報が有った場合、当該テレビ番組の予約録画終了時刻を変更することができる。。
【発明の効果】
【００２１】
以上のように本発明によれば、録画予約設定部および当該番組延長対応録画予約時刻設定部の処理により、録画予約した番組が録画中に放送延長された場合には、予約録画終了時刻を変更でき、これにより、録画予約した番組が予定よりも放送延長されても、録画予約した番組を最後まで録画することができ、ユーザにとっては使い勝手が良いものとなる。また、録画予約設定部および前番組延長対応録画予約時刻設定部の処理により、録画予約した番組の前の番組が放送延長になれば、録画予約した番組の予約録画開始時刻および予約録画開始時刻を変更でき、これにより、録画予約した番組の前の番組が予定の放送時間よりも放送延長されても、録画予約した番組を最後まで録画することができ、ユーザにとっては使い勝手が良いものとなる。
【発明を実施するための最良の形態】
【００２２】
以下、添付図面を参照しつつ、本発明の実施の形態について説明する。図１は本発明の一実施形態に係る情報記録再生装置としての複合型記録再生装置の構成を示すブロック図である。ここでは、情報記録再生装置としては、ハードディスク装置と光ディスク装置とが組み込まれた複合型記録再生装置について説明するが、本実施形態の特徴とする録画予約設定機能および予約録画開始／終了時刻変更機能は、複合型記録再生装置に限らず、単体のハードディスク装置あるいは光ディスク装置に設けても、同様な効果を得ることができる。
【００２３】
図１において、複合型記録再生装置１は、ＤＶＤやＣＤなどの光ディスク１５に対して情報の記録／再生を行う光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共にシステムコントローラ１０の動作に必要なプログラムなどを記憶するフラッシュメモリ６とを備えている。
【００２４】
また、この複合型記録再生装置１は、デコーダ５で復号された映像信号をモニタ装置（テレビ受信機など）１３のディスプレイ装置１３１で表示可能な映像信号に変換する映像出力部７と、再生リスト画面や番組表などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２５】
システムコントローラ１０は、本実施形態の特徴として、放送局から送信されて来たＥＰＧ（電子番組ガイド）情報に基づいて所望するテレビ番組の録画予約の設定を行う番組録画予約設定手段と、当該テレビ番組の放送延長の可能性が有るか無いかをＥＰＧ情報に含まれる当該番組延長情報に基づいて判定する第１の延長有無判定手段と、当該テレビ番組の放送延長の可能性が有ると判定されたときに第１の延長フラグをオンする第１の延長フラグオン手段と、当該テレビ番組よりも前に放送されるテレビ番組が放送延長の可能性が有るか無いかを前記ＥＰＧ情報に含まれる前番組延長情報に基づいて判定する第２の延長有無判定手段と、当該テレビ番組よりも前に放送されるテレビ番組が放送延長の可能性が有ると判定されたときに第２の延長フラグをオンする第２の延長フラグオン手段とを有する録画予約設定部１０１を備えている。
【００２６】
また、システムコントローラ１０は、録画予約設定部１０１により録画予約の設定が完了した後、前記第２の延長フラグはオンされているか否かを判定する第２の延長フラグ判定手段と、前記第２の延長フラグがオンされていると判定されたときにＥＰＧ情報を定期的に監視する前番組対応電子番組ガイド監視手段と、前記監視されているＥＰＧ情報に前番組延長情報が有るか無いかを判定する前番組延長情報有無判定手段と、前記監視されているＥＰＧ情報に前番組延長情報が有ると判定されたときに当該テレビ番組の予約録画開始時刻および予約録画終了時刻を前記前番組延長情報の示す時間分だけ遅らせる変更を行う予約録画開始終了時刻変更手段とを有する前番組延長対応録画予約時刻設定部１０２を備えている。
【００２７】
更に、システムコントローラ１０は、前記予約録画開始時刻に到達して当該テレビ番組の録画が開始された後、前記第１の延長フラグはオンされているか否かを判定する第１の延長フラグ判定手段と、前記第１の延長フラグがオンされていると判定されたときに前記ＥＰＧ情報を定期的に監視する当該番組対応電子番組ガイド監視手段と、前記監視されているＥＰＧ情報に当該番組延長情報が有るか無いかを判定する当該番組延長情報有無判定手段と、前記監視されているＥＰＧ情報に当該番組延長情報が有ると判定されたときに当該テレビ番組の予約録画終了時刻を前記当該番組延長情報の示す時間分だけ遅らせる変更を行う予約録画終了時刻変更手段とを有する当該番組延長対応録画予約時刻設定部１０３を備えている。
【００２８】
図２は本実施形態においてＥＰＧ情報に基づいてディスプレイ装置に表示された番組表の一例を示す図である。この番組表において、横方向にはテレビ放送局名が表示され、縦方向には放送時間帯が表示されている。この番組表では、番組名などの図示を殆ど省略しているが、番組表示枠Ｍ１には、「プロ野球Ｖ（延長あり）」が表示され、番組表示枠Ｍ２には、「ミュージックＸ」が表示され、また、番組表示枠Ｍ３には、「バレーボールＫ（延長あり）」が表示されている。（延長あり）と言うメッセージは、（最大３０分の延長あり）などと表示することもできる。
【００２９】
図３は本実施形態の複合型記録再生装置における録画予約設定処理について説明するためのフローチャートである。ここでは、ハードディスクにテレビ番組が録画されるものとして説明するが、光ディスク（ＤＶＤ）にテレビ番組が録画される場合も、複合型記録再生装置のシステムコントローラは、録画予約設定処理に関しては同様な制御を行う。以下、このフローチャートおよび図１、図２を参照して録画予約設定処理について説明する。
【００３０】
先ず、ＥＰＧを用いて番組表をモニタ装置１３のディスプレイ装置１３１に表示させるため、ユーザはリモコン１１の番組表キーを押下すると、システムコントローラ１０は、番組表の表示指示がされたことを検知し（ステップＳ１）、これに応答してチューナ４で選局された或る放送局からのＥＰＧのデータを取得して、そのＥＰＧのデータをＯＳＤ回路１２でＯＳＤ処理させ、更に、映像出力部７によりモニタ装置１３のディスプレイ装置１３１で表示可能な映像信号に変換させ、ディスプレイ装置１３１にＥＰＧのデータによる番組表（図２参照）を表示させる（ステップＳ２）。
【００３１】
そして、ユーザは、ディスプレイ装置１３１に表示された番組表を見て、リモコン１１の上下左右方向キーを操作して、録画予約したい番組を選択し、決定キーを押下すると、システムコントローラ１０における録画予約設定部１０１の番組録画予約設定手段は、録画予約番組が指定されたことを検知し（ステップＳ３）、録画予約番組の番組名をフラッシュメモリ６に設定し（ステップＳ４）、更に、当該番組の予約録画開始時刻と予約録画終了時刻をフラッシュメモリ６に設定する（ステップＳ５）。また、システムコントローラ１０は、録画予約された番組が番組表上で見分けが付くように、番組表示枠内の表示色を、例えば緑色や青色などで表示させる。
【００３２】
ここで、説明を分かり易くするために、図２の番組表において、ユーザが録画を希望する番組が放送局ＣテレビのミュージックＸであり、このミュージックＸの前に放送される番組がプロ野球Ｖであり、また、ユーザが録画を希望する番組が、バレーボールＫであることを想定して説明する。また、プロ野球ＶおよびバレーボールＫは、放送延長の可能性がある番組とする。
【００３３】
システムコントローラ１０における録画予約設定部１０１の第１の延長有無判定手段は、録画予約された番組が、放送延長の可能性が有るか無いかをＥＰＧ情報に含まれる当該番組延長情報に基づいて判定する（ステップＳ６）。この例の場合、図２の番組表で示すように、録画予約された番組の番組名「バレーボールＫ」を示す番組表示枠Ｍ３には、「延長あり」が表示されているので、バレーボールＫに関しては当該番組延長情報が含まれていることになるので、バレーボールＫの放送は延長される可能性が有ると言うことが、第１の延長有無判定手段により判定される。また、図２の番組表で示すように、録画予約された番組の番組名「ミュージックＸ」を示す番組表示枠Ｍ２には、「延長あり」が表示されていないので、ミュージックＸに関しては当該番組延長情報が含まれていないことになるので、ミュージックＸの放送は延長される可能性が無いと言うことが、第１の延長有無判定手段により判定される。したがって、放送延長の可能性が有ると判定されたバレーボールＫの番組に対しては、録画予約設定部１０１の第１の延長フラグオン手段は、バレーボールＫの番組に対する第１の延長フラグをオンする（ステップＳ７）。
【００３４】
次に、録画予約設定部１０１の第２の延長有無判定手段は、当該予約された番組よりも前に放送される番組が放送延長される可能性が有るか無いかを、ＥＰＧ情報に含まれる前番組延長情報に基づいて判定する（ステップＳ８）。この例の場合、ミュージックＸの前に放送される番組がプロ野球Ｖであり、放送延長される可能性があるので、第２の延長有無判定手段は、ＥＰＧ情報に含まれるプロ野球Ｖの番組に対応する前番組延長情報に基づいて、プロ野球Ｖの番組が放送延長する可能性が有ると判定する。このように、当該番組よりも前に放送される番組の放送延長の可能性が有ると判定されたときに、録画予約設定部１０１の第２の延長フラグオン手段は、プロ野球Ｖに対応する第２の延長フラグをオンする（ステップＳ９）。以上でシステムコントローラ１０における録画予約設定部１０１の処理が終了する。なお、ユーザが録画を希望する当該番組よりも前に放送される番組は、当該番組の直前に限ることなく、当該番組よりも時間的に前に放送される番組であっても良い。
【００３５】
図４は本実施形態の複合型記録再生装置における前番組延長対応録画予約時刻設定処理について説明するためのフローチャートである。このフローチャートおよび図１を参照して前番組延長対応録画予約時刻設定処理について説明する。
【００３６】
先ず、システムコントローラ１０における前番組延長対応録画予約時刻設定部１０２の第２の延長フラグ判定手段は、前記録画予約設定部１０１により録画予約の設定が完了した後、ユーザが録画したい番組の前の番組の放送が予定時間よりも延長される可能性が有るか無いかを判定するため、第２の延長フラグがオンされているか否かを判定する（ステップＳ１０）。この例の場合、ユーザが録画を希望するミュージックＸの番組の前に放送されるプロ野球Ｖの番組は延長の可能性があるので、プロ野球Ｖに対応する第２の延長フラグがオンされている。
【００３７】
前記第２の延長フラグがオンされていると判定されたときは、前番組延長対応録画予約時刻設定部１０２の前番組対応電子番組ガイド監視手段は、ＥＰＧ情報を定期的に監視、例えば１０分毎にＥＰＧ情報の内容が更新されているかを監視する（ステップＳ１１）。そして、前番組延長対応録画予約時刻設定部１０２の前番組延長情報有無判定手段は、前記監視されているＥＰＧ情報に前番組延長情報が有るか無いかを判定する（ステップＳ１２）。
【００３８】
前記ＥＰＧ情報に前番組延長情報が有ると判定されたときに、前番組延長対応録画予約時刻設定部１０２の予約録画開始終了時刻変更手段は、当該番組の予約録画開始時刻および予約録画終了時刻を前記前番組延長情報の示す時間分だけ遅らせる変更を行う（ステップＳ１３）。例えば、プロ野球Ｖの放送終了時刻が予定よりも３０分遅れる場合、ＰＭ９時３０分に終了することがＥＰＧ情報の前番組延長情報によりプロ野球Ｖの放送が終了することが前もって分かり、プロ野球Ｖに対応する前番組延長情報がプロ野球Ｖの放送が３０分延長することを示し、予約録画開始終了時刻変更手段は、ミュージックＸの番組の予約録画開始時刻をＰＭ９時３０分に、予約録画終了時刻をＰＭ１１時３０分にそれぞれ変更する。なお、最大延長が３０分であれば、例えば２０分の延長で野球番組が終了する場合もあるので、予約録画開始／終了時刻を正確に設定できない。
【００３９】
この後、システムコントローラ１０は、図示しないタイマにより計時されている現在時刻が前記変更された予約録画開始時刻に到達したと判定したとき、ハードディスク装置３を記録動作させ、ＨＤ１４に例えばミュージックＸの番組を録画開始させる（ステップＳ１６）。これにより、ミュージックＸの番組は全部録画できることになる。
【００４０】
なお、ステップＳ１０において第２の延長フラグがオンされていないと判定された場合、ステップＳ１２において前番組の放送延長が無いと判定された場合は、録画したい番組の予約録画開示時刻を変更する必要がないので、現在時刻が予約録画開始時刻に到達すると（ステップＳ１５）、通常に録画が開始される（ステップＳ１６）。例えば、プロ野球Ｖの放送終了時刻が予定通りＰＭ９時に終了した場合、ミュージックＸの番組の予約録画開始時刻はＰＭ９時のままで、ＰＭ９時になれば、ミュージックＸの番組の録画が開始されることになる。
【００４１】
図５は本実施形態の複合型記録再生装置における当該番組延長対応録画予約時刻設定処理について説明するためのフローチャートである。このフローチャートおよび図１を参照して当該番組延長対応録画予約時刻設定処理について説明する。
【００４２】
前記予約録画開始時刻に到達して（ステップＳａ）、当該番組の録画が開始（ステップＳ１６）された後、システムコントローラ１０における当該番組延長対応録画予約時刻設定部１０３の第１の延長フラグ判定手段は、前記第１の延長フラグはオンされているか否かを判定する（ステップＳ１７）。なお、図５中のステップＳａは、図４中のステップＳ１４またはステップＳ１５に相当し、また、図５中のステップＳ１６は、図４中のステップＳ１６に相当する。
【００４３】
次に、当該番組延長対応録画予約時刻設定部１０３の当該番組対応電子番組ガイド監視手段は、前記第１の延長フラグがオンされていると判定されたときに、ＥＰＧ情報を定期的に監視、例えば１０分毎にＥＰＧ情報の内容が更新されているかを監視する（ステップＳ１８）。そして、当該番組延長対応録画予約時刻設定部１０３の当該番組延長情報有無判定手段は、前記監視されているＥＰＧ情報に当該番組延長情報が有るか無いかを判定する（ステップＳ１９）。
【００４４】
前記監視されているＥＰＧ情報に当該番組延長情報が有ると判定されたときには、当該番組延長対応録画予約時刻設定部１０３の予約録画終了時刻変更手段は、当該番組の予約録画終了時刻を前記当該番組延長情報の示す時間分だけ遅らせる変更を行う（ステップＳ２０）。例えば、図２に示すバレーボールＫの放送終了時刻が予定よりも３０分遅れてＰＭ６時３０分に終了する場合、バレーボールＫに対応する当該番組延長情報が３０分延長を示すことになるので、予約録画終了時刻変更手段は、バレーボールＫの番組の予約録画終了時刻をＰＭ６時３０分に変更する。
【００４５】
そして、システムコントローラ１０が、変更された予約録画終了時刻に到達したと判定したとき（ステップＳ２１）、ハードディスク装置３の記録動作を停止させ、当該番組の録画を停止させる（ステップＳ２３）。これにより、例えば、バレーボールＫの試合が放送延長して、放送終了時刻が遅れても、バレーボールＫの番組を全部録画することができる。
【００４６】
なお、ステップＳ１７において第１の延長フラグがオンされていないと判定された場合、ステップＳ１９において当該番組の放送延長が無いと判定された場合は、録画したい番組の予約録画終了時刻を変更する必要がないので、現在時刻が予約録画終了時刻に到達すると（ステップＳ２２）、通常に録画が停止される（ステップＳ２３）。例えば、バレーボールＫの放送終了時刻が予定通りＰＭ６時に終了するので、ＰＭ６時になれば、バレーボールＫの番組の録画が終了する。
【００４７】
以上説明したように本実施形態によれば、録画予約設定部１０１および当該番組延長対応録画予約時刻設定部１０３の処理により、録画予約した番組が録画中に放送延長された場合には、予約録画終了時刻を変更でき、これにより、録画予約した番組が予定よりも放送延長されても、録画予約した番組を最後まで録画することができ、ユーザにとっては使い勝手が良いものとなる。また、録画予約設定部１０１および前番組延長対応録画予約時刻設定部１０２の処理により、録画予約した番組の前の番組が放送延長になれば、録画予約した番組の予約録画開始時刻および予約録画開始時刻を変更でき、これにより、録画予約した番組の前の番組が予定の放送時間よりも延長されても、録画予約した番組を最後まで録画することができ、ユーザにとっては使い勝手が良いものとなる。
【産業上の利用可能性】
【００４８】
本発明は、ハードディスク装置（ハードディスクレコーダ）、光ディスク装置（ＤＶＤレコーダ）、磁気テープ記録再生装置（ビデオテープレコーダ）などの情報記録再生装置において、テレビ番組を予約録画する際の録画開始時刻や録画終了時刻などの設定を行う録画予約機能に利用可能である。
【図面の簡単な説明】
【００４９】
【図１】本発明の一実施形態に係る情報記録再生装置としての複合型記録再生装置の構成を示すブロック図である。
【図２】前記実施形態においてＥＰＧ情報に基づいてディスプレイ装置に表示された番組表の一例を示す図である。
【図３】前記実施形態の複合型記録再生装置における録画予約設定処理について説明するためのフローチャートである。
【図４】前記実施形態の複合型記録再生装置における前番組延長対応録画予約時刻設定処理について説明するためのフローチャートである。
【図５】前記実施形態の複合型記録再生装置における当該番組延長対応録画予約時刻設定処理について説明するためのフローチャートである。
【符号の説明】
【００５０】
１    複合型記録再生装置（情報記録再生装置）
１４    ＨＤ（記録媒体）
１５    光ディスク（記録媒体）
１０１    録画予約設定部
１０２    前番組延長対応録画予約時刻設定部
１０３    当該番組延長対応録画予約時刻設定部
【図１】
2008167106.tif 000003
【図３】
2008167106.tif 000004
【図４】
2008167106.tif 000005
【図５】
2008167106.tif 000006
【図２】
2008167106.tif 000007